(57)【要約】【課題】端末装置の存在する場所に関する情報である場所情報を用いて、種々のサービスを提供しうる情報処理システムを提供する。【解決手段】端末装置１は、サーバ装置２のアドレス情報を記憶しているアドレス情報記憶部１５と、入力を受け付ける入力受付部１１と、端末装置１の存在する場所に関する場所情報を取得する場所情報取得部１３と、入力受付部１１が受け付けた入力に応じて、場所情報を含む送信情報を、アドレス情報に基づいて送信する送信情報送信部１６とを備える。サーバ装置２は、送信情報を受信する送信情報受信部２１と、送信情報受信部２１が受信した送信情報が所定の条件を充たすかどうか判断する判断部２２と、送信情報が所定の条件を充たす場合に、送信情報に関する所定の処理を行う処理部２３とを備える。【選択図】図１
2007011638.tif 000002
【特許請求の範囲】
【請求項１】
端末装置とサーバ装置とを備えた情報処理システムであって、
前記端末装置は、
前記サーバ装置のアドレスに関する情報であるアドレス情報が記憶されるアドレス情報記憶部と、
入力を受け付ける入力受付部と、
当該端末装置の存在する場所に関する情報である場所情報を取得する場所情報取得部と、
前記入力受付部が受け付けた入力に応じて、前記場所情報取得部が取得した場所情報を少なくとも含む情報である送信情報を、前記アドレス情報記憶部が記憶しているアドレス情報に基づいて送信する送信情報送信部と、を備え、
前記サーバ装置は、
前記端末装置から送信された送信情報を受信する送信情報受信部と、
前記送信情報受信部が受信した送信情報が所定の条件を充たすかどうか判断する判断部と、
前記判断部によって、前記送信情報受信部が受信した送信情報が所定の条件を充たすと判断された場合に所定の処理を行う処理部と、を備えた、情報処理システム。
【請求項２】
前記場所情報取得部は、ＧＰＳ（Global Positioning System）を用いて場所情報を取得する、請求項１記載の情報処理システム。
【請求項３】
前記端末装置は、前記送信情報送信部が送信情報を送信する日時に関する情報である日時情報を取得する日時情報取得部をさらに備え、
前記送信情報は、場所情報に加え、前記日時情報取得部が取得した日時情報を含む、請求項１または請求項２記載の情報処理システム。
【請求項４】
前記端末装置は、前記入力受付部が受け付けた入力に応じて画像を撮影する撮影部をさらに備え、
前記送信情報送信部は、前記撮影部が画像を撮影した場合に送信情報を送信し、
前記送信情報に含まれる場所情報は、前記撮影部が画像を撮影した時点に前記端末装置の存在する場所に関する情報である、請求項１または請求項２記載の情報処理システム。
【請求項５】
前記端末装置は、前記撮影部が画像を撮影した日時に関する情報である日時情報を取得する日時情報取得部をさらに備え、
前記送信情報は、場所情報に加え、前記日時情報取得部が取得した日時情報を含む、請求項４記載の情報処理システム。
【請求項６】
前記送信情報は、前記撮影部が撮影した画像の情報である画像情報をも含む、請求項４または請求項５記載の情報処理システム。
【請求項７】
前記処理部は、前記送信情報受信部が受信した送信情報が所定の条件を充たすと判断された場合に、前記端末装置に送信する情報である返信情報を送信し、
前記端末装置は、
前記サーバ装置が送信した返信情報を受信する返信情報受信部と、
前記返信情報受信部が受信した返信情報を蓄積する返信情報蓄積部と、をさらに備えた、請求項１から請求項６のいずれか記載の情報処理システム。
【請求項８】
前記返信情報は、コンテンツに関する情報であるコンテンツ情報を含む、請求項７記載の情報処理システム。
【請求項９】
前記返信情報は、第２サーバ装置のアドレスを示す情報である第２アドレス情報を含む、請求項７記載の情報処理システム。
【請求項１０】
前記端末装置は、
アドレス情報を取得するアドレス情報取得部と、
前記アドレス情報取得部が取得したアドレス情報を前記アドレス情報記憶部に蓄積するアドレス情報蓄積部と、をさらに備えた、請求項１から請求項９のいずれか記載の情報処理システム。
【請求項１１】
請求項１から請求項１０のいずれか記載の情報処理システムを構成する端末装置。
【請求項１２】
請求項１から請求項１０のいずれか記載の情報処理システムを構成するサーバ装置。
【請求項１３】
サーバ装置に情報を送信する端末装置であって、
前記サーバ装置のアドレスに関する情報であるアドレス情報が記憶されるアドレス情報記憶部と、
入力を受け付ける入力受付部と、
当該端末装置の存在する場所に関する情報である場所情報を取得する場所情報取得部と、
前記入力受付部が受け付けた入力に応じて、前記場所情報取得部が取得した場所情報を少なくとも含む情報である送信情報を、前記アドレス情報記憶部が記憶しているアドレス情報に基づいて送信する送信情報送信部と、を備えた端末装置。
【請求項１４】
端末装置から送信された情報を受信するサーバ装置であって、
前記端末装置から送信された、前記端末装置の存在する場所に関する情報である場所情報を少なくとも含む情報である送信情報を受信する送信情報受信ステップと、
前記送信情報受信ステップで受信した送信情報が所定の条件を充たすかどうか判断する判断ステップと、
前記判断ステップで、前記送信情報受信ステップで受信した送信情報が所定の条件を充たすと判断された場合に所定の処理を行う処理ステップと、を備えた情報処理方法。
【請求項１５】
コンピュータに、
サーバ装置に情報を送信する端末装置における処理を実行させるためのプログラムであって、
入力を受け付ける入力受付ステップと、
前記端末装置の存在する場所に関する情報である場所情報を取得する場所情報取得ステップと、
前記入力受付ステップで受け付けた入力に応じて、前記場所情報取得ステップで取得した場所情報を少なくとも含む情報である送信情報を、前記サーバ装置のアドレスに関する情報であるアドレス情報に基づいて送信する送信ステップと、を実行させるためのプログラム。
【請求項１６】
コンピュータに、
端末装置から送信された情報を受信するサーバ装置における処理を実行させるためのプログラムであって、
前記端末装置から送信された、前記端末装置の存在する場所に関する情報である場所情報を少なくとも含む情報である送信情報を受信する送信情報受信ステップと、
前記送信情報受信ステップで受信した送信情報が所定の条件を充たすかどうか判断する判断ステップと、
前記判断ステップで、前記送信情報受信ステップで受信した送信情報が所定の条件を充たすと判断された場合に所定の処理を行う処理ステップと、を実行させるためのプログラム。
【発明の詳細な説明】
【技術分野】
【０００１】
本発明は、端末装置とサーバ装置との間で情報の通信を行う情報処理システム等に関する。
【背景技術】
【０００２】
近年、携帯電話等の端末装置を用いたサービスの提供等が行われるようになってきている。関連する技術として、例えば、端末装置において撮影した電子透かしを含む画像により、種々のサービスを提供する技術などが開発されている（例えば、特許文献１参照）。
【特許文献１】特開２００４−１４０８４４号公報（第１頁、第１図等）
【発明の開示】
【発明が解決しようとする課題】
【０００３】
一方、携帯電話等の端末装置の存在する場所の情報である場所情報を用いて、種々のサービスの提供等を行うことなどは行われていなかった。
【０００４】
本発明は、上記状況を考慮してなされたものであり、端末装置の存在する場所に関する情報である場所情報を用いて、種々のサービスを提供しうる情報処理システム等を提供することを目的とする。
【課題を解決するための手段】
【０００５】
上記目的を達成するため、本発明による情報処理システムは、端末装置とサーバ装置とを備えた情報処理システムであって、前記端末装置は、前記サーバ装置のアドレスに関する情報であるアドレス情報が記憶されるアドレス情報記憶部と、入力を受け付ける入力受付部と、当該端末装置の存在する場所に関する情報である場所情報を取得する場所情報取得部と、前記入力受付部が受け付けた入力に応じて、前記場所情報取得部が取得した場所情報を少なくとも含む情報である送信情報を、前記アドレス情報記憶部が記憶しているアドレス情報に基づいて送信する送信情報送信部と、を備え、前記サーバ装置は、前記端末装置から送信された送信情報を受信する送信情報受信部と、前記送信情報受信部が受信した送信情報が所定の条件を充たすかどうか判断する判断部と、前記判断部によって、前記送信情報受信部が受信した送信情報が所定の条件を充たすと判断された場合に所定の処理を行う処理部と、を備えた、ものである。
【０００６】
このような構成により、送信情報が所定の条件を充たす場合に、サーバ装置において、送信情報に含まれる場所情報等に応じた種々のサービスの提供等を行うことができうる。例えば、ユーザが端末装置を操作することによって、ある山頂から送信情報をサーバ装置に送信することにより、そのユーザがその山頂に到達したことを証明する登頂証明書などをユーザに対して付与することができうる。
【０００７】
また、本発明による情報処理システムでは、前記端末装置が、前記送信情報送信部が送信情報を送信する日時に関する情報である日時情報を取得する日時情報取得部をさらに備え、前記送信情報は、場所情報に加え、前記日時情報取得部が取得した日時情報を含んでもよい。
【０００８】
このような構成により、送信情報が所定の条件を充たす場合に、サーバ装置において、送信情報に含まれる場所情報や、日時情報等に応じた種々のサービスの提供等を行うことができうる。例えば、ユーザが端末装置を操作することによって、あるコンサートの途中に送信情報をサーバ装置に送信することによって、そのコンサートに出演している歌手の着信メロディーをダウンロードできる権利をそのユーザに対して付与することができうる。
【０００９】
また、本発明による情報処理システムでは、前記端末装置が、前記入力受付部が受け付けた入力に応じて画像を撮影する撮影部をさらに備え、前記送信情報送信部が、前記撮影部が画像を撮影した場合に送信情報を送信し、前記送信情報に含まれる場所情報が、前記撮影部が画像を撮影した時点に前記端末装置の存在する場所に関する情報であってもよい。
【００１０】
このような構成により、画像を撮影したタイミングで送信情報を送信することができうる。したがって、サーバ装置では、ユーザが端末装置で画像を撮影した場所を示す場所情報を含む送信情報を受信することができ、例えば、所定の場所において画像が撮影されていた場合に、ユーザに対して、種々のサービスを提供することができうる。例えば、ある広告を掲示している場所において画像の撮影がなされた場合に、その広告に関係する着信メロディーをダウンロードできる権利をそのユーザに対して付与することができうる。
【００１１】
また、本発明による情報処理システムでは、前記端末装置が、前記撮影部が画像を撮影した日時に関する情報である日時情報を取得する日時情報取得部をさらに備え、前記送信情報が、場所情報に加え、前記日時情報取得部が取得した日時情報を含んでもよい。
【００１２】
このような構成により、サーバ装置では、ユーザが端末装置で画像を撮影した日時を示す日時情報を含む送信情報を受信することができ、例えば、所定の場所の所定の時間帯に画像が撮影されていた場合に、ユーザに対して種々のサービスを提供することができうる。例えば、ある広告を所定の場所に所定の期間だけ掲示していた場合に、その期間にその場所において画像の撮影がなされた場合に、その広告に関係する着信メロディーをダウンロードできる権利をそのユーザに付与することができうる。
【００１３】
また、本発明による情報処理システムでは、前記送信情報が、前記撮影部が撮影した画像の情報である画像情報をも含んでもよい。
このような構成により、サーバ装置の判断部による判断において、その画像情報をも用いることができうる。例えば、ある広告を掲示している場所において、その広告の画像の撮影が行われた場合に、広告の画像が撮影されたかどうかを判断部において判断することができる。そして、広告の画像が撮影されていた場合に、その広告に関係する着信メロディーをダウンロードできる権利をそのユーザに対して付与することができうる。
【００１４】
また、本発明による情報処理システムでは、前記処理部が、前記送信情報受信部が受信した送信情報が所定の条件を充たすと判断された場合に、前記端末装置に送信する情報である返信情報を送信し、前記端末装置が、前記サーバ装置が送信した返信情報を受信する返信情報受信部と、前記返信情報受信部が受信した返信情報を蓄積する返信情報蓄積部と、をさらに備えてもよい。
【００１５】
このような構成により、端末装置のユーザは、蓄積された返信情報を用いることができる。例えば、返信情報にコンテンツ情報が含まれる場合には、ユーザは、そのコンテンツ情報を端末装置等において視聴等することができうる。また、返信情報に第２のサーバ装置のアドレスを示す情報が含まれている場合には、そのアドレスにアクセスすることによって、その第２のサーバ装置が提供する種々のサービスをユーザが受けることができうる。
【００１６】
また、本発明による情報処理システムでは、前記端末装置が、アドレス情報を取得するアドレス情報取得部と、前記アドレス情報が取得したアドレス情報を前記アドレス情報記憶部に蓄積するアドレス情報蓄積部と、をさらに備えてもよい。
【００１７】
このような構成により、あらかじめサーバ装置のアドレスが決まっていない場合等に、そのアドレス情報を取得し、その取得したアドレス情報に送信情報を送信することができうる。例えば、コンサート会場の入り口の看板に掲示されている２次元バーコードをアドレス情報取得部によって読み込むことにより、その２次元バーコードによって示されるアドレス情報を取得し、そのアドレス情報をアドレス情報記憶部に蓄積することができる。そして、コンサートの途中において、そのアドレス情報で示されるサーバ装置に、送信情報を送信することができうる。
【発明の効果】
【００１８】
本発明による情報処理システム等によれば、少なくとも場所情報を含む送信情報を送信する端末装置と、その送信情報を受信するサーバ装置とを備えたことにより、送信情報を送信する端末装置のユーザは、その送信情報に対応する種々のサービスの提供を受けうることになる。
【発明を実施するための最良の形態】
【００１９】
以下、本発明による情報処理システム等について、実施の形態を用いて説明する。なお、以下の実施の形態において、同じ符号を付した構成要素及びステップは同一または相当するものであり、再度の説明を省略することがある。
【００２０】
（実施の形態１）
本発明の実施の形態１による情報処理システム等について、図面を参照しながら説明する。
図１は、本実施の形態による情報処理システムの構成を示す図である。図１において、本実施の形態による情報処理システムは、端末装置１と、サーバ装置２とを備える。端末装置１と、サーバ装置２とは、有線または無線の通信回線１００によって接続されている。通信回線１００は、例えば、インターネットやイントラネット、公衆電話回線網などである。
【００２１】
端末装置１は、入力受付部１１と、撮影部１２と、場所情報取得部１３と、日時情報取得部１４と、アドレス情報記憶部１５と、送信情報送信部１６と、返信情報受信部１７と、返信情報蓄積部１８とを備える。端末装置１は、例えば、携帯電話や、携帯可能なＰＣ（Personal Computer）、ＰＤＡ（Personal Digital Assistant）等である。
【００２２】
入力受付部１１は、入力デバイス（例えば、キーボードやマウス、タッチパネルなど）などからの入力を受け付ける。入力受付部１１が受け付ける入力は、端末装置１の操作等に関する入力である。例えば、入力受付部１１は、撮影部１２による撮影を行う旨の指示の入力や、送信情報送信部１６による送信情報の送信を行う旨の指示の入力等を受け付ける。入力受付部１１は、受け付けを行うためのデバイス（例えば、入力デバイスなど）を含んでもよく、あるいは含まなくてもよい。また、入力受付部１１は、ハードウェアによって実現されてもよく、あるいは所定のデバイスを駆動するドライバ等のソフトウェアによって実現されてもよい。
【００２３】
撮影部１２は、入力受付部１１が受け付けた入力に応じて画像を撮影する。例えば、入力受付部１１が撮影を行う旨の指示を受け付けた場合に、画像を撮影する。撮影部１２が撮影する画像は、端末装置１を操作しているユーザがカメラを向けている画像である。撮影部１２は、画像を撮影するためのカメラを有していてもよく、あるいは、有していなくてもよい。撮影部１２は、ハードウェアによって実現されてもよく、あるいは、カメラによる画像の撮影の制御や、カメラによって撮影された画像の情報を受け取る等の処理を行うソフトウェアによって実現されてもよい。
【００２４】
場所情報取得部１３は、場所情報を取得する。ここで、場所情報とは、端末装置１の存在する場所に関する情報である。場所情報は、例えば、緯度、経度によって場所を示すものであってもよく、ある基準点からの方向と距離によって場所を示すものであってもよく、場所を示すことができるものであれば、住所やその他の独自の指標等であってもよい。また、場所情報は、点によって場所を示すものであってもよく、広がりを有するエリアによって場所を示すものであってもよい。場所情報取得部１３は、例えば、ＧＰＳ（Global Positioning System）を用いて場所情報を取得してもよく、ＲＦＩＤ（Radio Frequency Identification）を用いて場所情報を取得してもよく、無線通信によって送信されている場所情報を取得してもよく、２次元バーコードなどを読み込むことによって場所情報を取得してもよく、場所情報を取得する方法は問わない。本実施の形態では、場所情報取得部１３は、ＧＰＳを用いて場所情報を取得するものとする。場所情報取得部１３は、場所情報を取得するために受信機等を有していてもよく、あるいは、有していなくてもよい。場所情報取得部１３は、ハードウェアによって実現されてもよく、あるいは、受信機等を制御するドライバ等のソフトウェアによって実現されてもよい。
【００２５】
日時情報取得部１４は、日時情報を取得する。ここで、日時情報とは、撮影部１２が画像を撮影した日時に関する情報である。日時情報は、例えば、２００５年７月１日のように日付を示す情報であってもよく、１５時１０分というように時刻を示す情報であってもよく、２００５年７月１日１５時１０分というように日付と時刻とを示す情報であってもよく、日曜日や水曜日などのように曜日を示す情報であってもよい。日時情報取得部１４は、例えば、時計から日時情報を取得してもよく、サーバ装置などに問い合わせることによって日時情報を取得してもよく、日時情報を取得する方法は問わない。本実施の形態では、日時情報取得部１４は、時計から日時情報を取得するものとする。日時情報取得部１４は、日時情報を取得するために通信手段等を有してもよく、あるいは、有していなくてもよい。日時情報取得部１４は、ハードウェアによって実現されてもよく、あるいは、通信手段等を制御するドライバ等のソフトウェアによって実現されてもよい。
【００２６】
アドレス情報記憶部１５では、アドレス情報が記憶される。ここで、アドレス情報とは、サーバ装置２のアドレスに関する情報である。アドレス情報は、サーバ装置２のＩＰアドレスやＵＲＬ等を示すものであってもよく、サーバ装置２の電話番号であってもよく、後述する送信情報をサーバ装置２に送信することができる情報であれば、その種類を問わない。また、アドレス情報がアドレス情報記憶部１５で記憶されるようになる過程は問わない。例えば、ユーザが入力デバイスを介して入力したアドレス情報がアドレス情報記憶部１５で記憶されるようになってもよく、記録媒体を介してアドレス情報がアドレス情報記憶部１５で記憶されるようになってもよく、通信回線等を介して送信されたアドレス情報がアドレス情報記憶部１５で記憶されるようになってもよい。アドレス情報記憶部１５は、所定の記録媒体（例えば、半導体メモリや磁気ディスク、光ディスクなど）によって実現されうる。
【００２７】
送信情報送信部１６は、入力受付部１１が受け付けた入力に応じて、撮影部１２が撮影した画像の情報である画像情報、場所情報取得部１３が取得した場所情報、日時情報取得部１４が取得した日時情報を少なくとも含む情報である送信情報を送信する。送信情報には、画像情報、場所情報、日時情報以外の情報、例えば、端末装置１の機器識別子や、端末装置１を操作しているユーザのユーザ識別子等が含まれていてもよい。「入力受付部１１が受け付けた入力に応じて送信情報を送信する」とは、入力受付部１１が受け付けた何らかの入力に基づいて、最終的に送信情報を送信するという意味であり、例えば、入力受付部１１が送信情報の送信情報を送信する旨の入力を受け付けた場合に、送信情報を送信することであってもよく、あるいは、入力受付部１１が撮影の指示の入力を受け付けた場合に、撮影が行われ、その撮影画像を含む送信情報を送信することであってもよい。送信情報の送信先は、サーバ装置２であり、そのアドレスは、アドレス情報記憶部１５が記憶しているアドレス情報によって示される。したがって、送信情報送信部１６は、送信情報をアドレス情報記憶部１５が記憶しているアドレス情報に基づいて送信する。なお、送信情報送信部１６は、送信を行うための送信デバイス（例えば、モデムやネットワークカードなど）を含んでもよく、あるいは含まなくてもよい（この場合には、送信情報送信部１６と通信回線１００との間に図示しない送信デバイスが存在することとなる）。また、送信情報送信部１６は、ハードウェアによって実現されてもよく、あるいは送信デバイスを駆動するドライバ等のソフトウェアによって実現されてもよい。
【００２８】
返信情報受信部１７は、サーバ装置２が送信した返信情報を受信する。ここで、返信情報については後述する。なお、返信情報受信部１７は、受信を行うための受信デバイス（例えば、モデムやネットワークカードなど）を含んでもよく、あるいは含まなくてもよい（この場合には、返信情報受信部１７と通信回線１００との間に図示しない受信デバイスが存在することとなる）。また、返信情報受信部１７は、ハードウェアによって実現されてもよく、あるいは受信デバイスを駆動するドライバ等のソフトウェアによって実現されてもよい。
【００２９】
送信情報送信部１６と、返信情報受信部１７とが通信に関するデバイスを有する場合に、それらは同一の手段であってもよく、あるいは別々の手段であってもよい。
【００３０】
返信情報蓄積部１８は、返信情報受信部１７が受信した返信情報を、所定の記録媒体に蓄積する。この記録媒体は、例えば、半導体メモリや、光ディスク、磁気ディスク等であり、返信情報蓄積部１８が有していてもよく、あるいは返信情報蓄積部１８の外部に存在してもよい。また、この記録媒体は、返信情報を一時的に記憶するものであってもよく、そうでなくてもよい。
サーバ装置２は、送信情報受信部２１と、判断部２２と、処理部２３とを備える。
【００３１】
送信情報受信部２１は、端末装置１から送信された送信情報を受信する。なお、送信情報受信部２１は、受信を行うための受信デバイス（例えば、モデムやネットワークカードなど）を含んでもよく、あるいは含まなくてもよい（この場合には、送信情報受信部２１と通信回線１００との間に図示しない受信デバイスが存在することとなる）。また、送信情報受信部２１は、ハードウェアによって実現されてもよく、あるいは受信デバイスを駆動するドライバ等のソフトウェアによって実現されてもよい。
【００３２】
判断部２２は、送信情報受信部２１が受信した送信情報が所定の条件を充たすかどうか判断する。ここで、所定の条件とは、例えば、送信情報に含まれる場所情報、日時情報、画像情報に関する条件である。所定の条件は、例えば、場所情報が示す場所が所定のエリア内であるかどうかに関する条件であってもよく、日時情報が示す日時が所定の日時の範囲内であるかどうかに関する条件であってもよく、画像情報が示す画像があらかじめサーバ装置２において保持されている画像とどれぐらい類似しているのかに関する条件であってもよい。
【００３３】
処理部２３は、判断部２２によって、送信情報受信部２１が受信した送信情報が所定の条件を充たすと判断された場合に所定の処理を行う。所定の処理とは、例えば、送信情報に含まれる画像情報で示される画像の商品等の注文を行う処理であってもよく、端末装置１のユーザに関するポイントを加算する処理であってもよく、端末装置１に対して返信情報を送信する処理であってもよい。処理部２３が加算するポイントは、ユーザが商品の購入等において用いることができるものであってもよい。このポイントシステムについては既に知られており、その詳細な説明を省略する。また、返信情報とは、サーバ装置２から端末装置１に送信される情報であり、例えば、コンテンツに関する情報であるコンテンツ情報を含むものであってもよく、第２サーバ装置のアドレスを示す情報である第２アドレス情報を含むものであってもよく、その他の情報が含まれていてもよい。コンテンツ情報とは、例えば、音楽や画像、映像等の情報である。コンテンツ情報は、例えば、携帯電話における着信音として利用される着信メロディーなどであってもよい。第２サーバ装置とは、例えば、コンテンツの配信や、商品の注文、ポイントの加算等のサービスの提供を行っているサーバ装置である。第２アドレス情報は、サーバ装置２の所定のディレクトリ等を示すアドレス情報であってもよく、サーバ装置２とは異なるサーバ装置のアドレス情報であってもよい。本実施の形態では、判断部２２によって、送信情報受信部２１が受信した送信情報が所定の条件を充たすと判断された場合に、処理部２３が、コンテンツ情報が含まれる返信情報を送信する場合について説明する。処理部２３は、送信を行うための送信デバイスを含んでもよく、あるいは含まなくてもよい。また、処理部２３は、ハードウェアによって実現されてもよく、あるいは送信デバイスを駆動するドライバ等のソフトウェアによって実現されてもよい。
送信情報受信部２１と、処理部２３とが通信に関するデバイスを有する場合に、それらは同一の手段であってもよく、あるいは別々の手段であってもよい。
【００３４】
次に、本実施の形態による情報処理システムの動作について、図２，図３のフローチャートを用いて説明する。図２のフローチャートは、端末装置１の動作を示すフローチャートである。
【００３５】
（ステップＳ１０１）撮影部１２は、入力受付部１１が撮影の指示の入力を受け付けたかどうか判断する。そして、入力受付部１１が撮影の指示の入力を受け付けた場合には、ステップＳ１０２に進み、そうでない場合には、入力受付部１１が撮影の指示の入力を受け付けるまで、ステップＳ１０１の処理を繰り返す。
【００３６】
（ステップＳ１０２）撮影部１２は、画像を撮影する。
（ステップＳ１０３）場所情報取得部１３は、場所情報を取得する。このように、撮影部１２が画像を撮影した時点において端末装置１が存在する場所に関する場所情報が取得される。
（ステップＳ１０４）日時情報取得部１４は、日時情報を取得する。このように、撮影部１２が画像を撮影した時点における日時情報が取得される。
（ステップＳ１０５）送信情報送信部１６は、アドレス情報記憶部１５が記憶しているアドレス情報を読み出す。
【００３７】
（ステップＳ１０６）送信情報送信部１６は、撮影部１２が撮影した画像の画像情報、場所情報取得部１３が取得した場所情報、日時情報取得部１４が取得した日時情報を含む送信情報を構成し、その送信情報をアドレス情報記憶部１５から読み出したアドレス情報の示すアドレスに送信する。その送信情報は、サーバ装置２に送信される。
【００３８】
（ステップＳ１０７）返信情報受信部１７は、送信情報の送信に応じてサーバ装置２から送信される返信情報を受信したかどうか判断する。そして、返信情報を受信した場合には、ステップＳ１０８に進み、そうでない場合には、ステップＳ１０９に進む。
【００３９】
（ステップＳ１０８）返信情報蓄積部１８は、返信情報受信部１７が受信した返信情報を蓄積する。そして、ステップＳ１０１に戻る。
【００４０】
（ステップＳ１０９）返信情報受信部１７は、送信情報が送信されてから所定の時間（例えば、１５秒など）が経過したかどうか判断する。そして、所定の時間が経過した場合には、タイムアウトであると判断し、ステップＳ１０１に戻る。一方、所定の時間が経過していない場合には、ステップＳ１０７に戻る。
なお、図２のフローチャートにおいて、電源オフや処理終了の割り込みにより処理は終了する。
【００４１】
図３は、サーバ装置２の動作を示すフローチャートである。
（ステップＳ２０１）送信情報受信部２１は、送信情報を受信したかどうか判断する。そして、送信情報を受信した場合には、ステップＳ２０２に進み、そうでない場合には、送信情報を受信するまで、ステップＳ２０１の処理を繰り返す。
【００４２】
（ステップＳ２０２）判断部２２は、送信情報受信部２１が受信した送信情報が所定の条件を充たすかどうか判断する。そして、所定の条件を充たす場合には、ステップＳ２０３に進み、そうでない場合には、ステップＳ２０１に戻る。
（ステップＳ２０３）処理部２３は、送信情報受信部２１が受信した送信情報に関する処理を実行する。そして、ステップＳ２０１に戻る。
【００４３】
なお、図３のフローチャートにおいて、電源オフや処理終了の割り込みにより処理は終了する。また、図３のフローチャートのステップＳ２０２において、送信情報が所定の条件を充たさない場合に、その旨を示す情報を送信情報の送信元である端末装置１に送信するようにしてもよい。その場合には、端末装置１は、その情報を受信する受信部を備えてもよい。
【００４４】
次に、本実施の形態による情報処理システムの動作について、具体例を用いて説明する。図４は、この具体例における情報処理システムの構成を示す模式図である。図４で示されるように、端末装置１は、携帯電話であるとする。その端末装置１によって画像を撮影し、その画像を含む送信情報をサーバ装置２に送信する。すると、所定の条件の下、サーバ装置２から返信情報が端末装置１に送信される。
【００４５】
アドレス情報記憶部１５は、サーバ装置２のアドレス情報としてサーバ装置２のＩＰアドレス「１５５．３２．１０．１０」を保持しているものとする。
【００４６】
端末装置１のユーザは、端末装置１のカメラを広告３に向け、広告３の画像を撮影するためのボタンを押す（ステップＳ１０１）。すると、撮影部１２は、広告３の画像を撮影し、その画像を送信情報送信部１６に渡す（ステップＳ１０２）。また、場所情報取得部１３は、ＧＰＳ受信機から、その時点における場所情報を取得し、送信情報送信部１６に渡す（ステップＳ１０３）。場所情報は、「東経１３５°２０′４０″、北緯３５°１０′２０″」であったとする。日時情報取得部１４は、時計から、その時点の日時情報「２００５年７月１日１５時３０分」を取得し、送信情報送信部１６に渡す（ステップＳ１０４）。
【００４７】
送信情報送信部１６は、アドレス情報記憶部１５からアドレス情報「１５５．３２．１０．１０」を読み出し（ステップＳ１０５）、図５で示される送信情報のパケットを構成する。図５の送信情報のパケットにおいて、ペイロードに画像情報と、場所情報と、日時情報とが含まれる。また、ヘッダには、送信情報の送信先であるサーバ装置２のアドレス「１５５．３２．１０．１０」が含まれる。なお、画像情報の容量が、１個のパケットのペイロードの容量を超えている場合には、送信情報は複数のパケットによって構成されてもよい。送信情報送信部１６は、構成した送信情報を送信する（ステップＳ１０６）。
【００４８】
その送信情報のパケットは、通信回線１００を介して送信され、サーバ装置２の送信情報受信部２１で受信される（ステップＳ２０１）。判断部２２は、図６で示される条件に関する情報である条件情報を保持しているものとする。ここで、図６で示される条件情報は、サーバ装置２の所定の記録媒体（図示せず）において、判断部２２からアクセス可能に保持されているものとする。図６において、条件情報の各レコードには、画像情報と、場所情報と、日時情報とが含まれている。なお、ＩＤは、レコードを識別する情報であり、表管理上の要請のために存在する。判断部２２は、送信情報受信部２１が受信した送信情報に含まれる画像情報と、条件情報における一のレコードの画像情報とが８０パーセント以上の類似度を有しており、送信情報に含まれる場所情報と、その一のレコードの場所情報とがプラス・マイナス「１″」の範囲内で一致し、送信情報に含まれる日時情報がその一のレコードの日時情報の範囲内に含まれる場合に、所定の条件が充たされると判断する。
【００４９】
この具体例では、送信情報に含まれる画像情報が、画像情報Ｇ００１と８５パーセントの類似度を有していたとする。送信情報に含まれる場所情報「東経１３５°２０′４０″、北緯３５°１０′２０″」は、ＩＤ＝１のレコードの場所情報とプラス・マイナス「１″」の範囲内で一致し、また、送信情報に含まれる日時情報「２００５年７月１日１５時３０分」も、ＩＤ＝１のレコードの日時情報「２００５．５．１〜２００５．８．３１」の範囲内に含まれる。したがって、判断部２２は、送信情報受信部２１が受信した送信情報は、図６で示される条件情報のＩＤ＝１のレコードの条件を充たすと判断し、そのレコードのＩＤ「１」を処理部２３に渡す（ステップＳ２０２）。
【００５０】
処理部２３は、そのＩＤ「１」を受け取ると、図７で示されるコンテンツ情報にアクセスし、受け取ったＩＤ［１］に対応するコンテンツ情報「Ｃ００１」を読み出す。ここで、図７で示されるコンテンツ情報は、サーバ装置２の所定の記録媒体（図示せず）において、処理部２３からアクセス可能に保持されているものとする。そして、処理部２３は、そのコンテンツ情報「Ｃ００１」をペイロードに含む図８で示される返信情報のパケットを構成する。なお、図７で示される各コンテンツ情報は、携帯電話で用いられる着信メロディーであるとする。この場合も、コンテンツ情報の容量が１個のパケットのペイロードの容量を超えている場合には、返信情報は複数のパケットによって構成されてもよい。返信情報のヘッダに設定される送信先のアドレスは、送信情報受信部２１が受信した送信情報のヘッダに設定されていた送信元のアドレス、すなわち、端末装置１のアドレスである。処理部２３は、その構成した返信情報のパケットを送信する（ステップＳ２０３）。
【００５１】
その返信情報のパケットは、端末装置１の返信情報受信部１７で受信され（ステップＳ１０７）、返信情報蓄積部１８によって所定の記録媒体（ステップＳ１０８）に蓄積される。その後、ユーザは、その所定の記録媒体で記憶されている返信情報に含まれるコンテンツ情報を、携帯電話としての端末装置１の着信メロディーとして設定することにより、そのコンテンツ情報を利用することができる。
【００５２】
なお、この具体例では、図６で示されるように、複数の条件をサーバ装置２が有する場合について説明したが、サーバ装置２は、１個の条件を有するだけであってもよい。例えば、図６のＩＤ＝１のレコードのみを所定の条件として有してもよい。
【００５３】
また、端末装置１から送信された送信情報が図６のいずれの条件も充たさないと判断された場合には、返信情報の送信が行われず、端末装置１では、タイムアウトとなる（ステップＳ１０９）。
【００５４】
以上のように、本実施の形態による情報処理システムによれば、場所情報、日時情報、画像情報を含む送信情報をサーバ装置２に送信し、その送信情報が所定の条件を充たす場合に、サービスの提供等の処理を行うことによって、所定の日時、場所において、所定の画像を撮影したユーザに対して、所定のサービスの提供等を行うことができる。その結果、例えば、図４の広告３で示される「ＡＢＣ」ドリンクを販売している会社が、その「ＡＢＣ」ドリンクの広告３を掲示している場所、期間をあらかじめサーバ装置２に登録しておき、その広告の画像を送信したユーザに対して、着信メロディーの配信を行うことによって、広告３を見るユーザ数を増やすことができ、「ＡＢＣ」ドリンクの広告の効果を向上させることができうる。
【００５５】
また、場所、時間の条件を定めているため、例えば、他のユーザの端末装置から送信された「ＡＢＣ」ドリンクの画像や、雑誌等に載っていた「ＡＢＣ」ドリンクの画像等を用いて着信メロディーの配信を要求するなどの不正を防止することができうる。
【００５６】
さらに、場所、時間の条件を定めているため、撮影された画像と、あらかじめサーバ装置２に登録されている画像とが一致するかどうかを厳密に判断しなくても、正確な判断ができることとなり、場所情報や日時情報を用いた判断を行うことによって、画像情報による判断の困難性を補完することができうる。
【００５７】
なお、本実施の形態では、送信情報に日付情報が含まれている場合について説明したが、送信情報に日付情報が含まれていなくてもよい。日時情報が送信情報に含まれない場合には、端末装置１は、日時情報取得部１４を備えなくてもよい。
【００５８】
また、本実施の形態では、送信情報に撮影部１２が撮影した画像の情報である画像情報が含まれる場合について説明したが、送信情報に画像情報が含まれていなくてもよい。例えば、端末装置１によって広告の写真の撮影がなされ、それをトリガーとして、場所情報、日時情報を含む送信情報が端末装置１からサーバ装置２に送信され、その送信情報が所定の条件を充たす場合には、コンテンツ情報を含む返信情報がサーバ装置２から送信されてもよい。ここで、送信情報に含まれる場所情報、日時情報は、撮影部１２が画像を撮影した時点における場所情報、日時情報である。場所情報と日時情報とが所定の条件を充たすのであれば、送信情報に画像情報が含まれなくても、端末装置１によって所望の画像が撮影されていると考えられるため、例えば、広告の効果が向上するなどの効果が得られ、その送信情報の送信に対して返信情報を送信してもよいと考えられる。また、画像情報が含まれない場合には、画像情報が所定の条件を充たすかどうかなどの判断を行う必要もなくなり、サーバ装置２における判断処理を軽くすることができる。また、画像情報の容量が大きいと考えられるところ、送信情報に画像情報が含まれないことにより、送信情報の容量を小さくすることができる。また、この場合に、送信情報に日時情報が含まれていなくてもよい。日時情報が送信情報に含まれない場合には、端末装置１は、日時情報取得部１４を備えなくてもよい。
【００５９】
また、本実施の形態では、撮影部１２が画像を撮影したタイミングで送信情報を送信すると説明したが、そうでなくてもよい。例えば、画像を撮影したタイミングで場所情報と日時情報とを取得し、その後、ユーザからの送信指示の入力等を入力受付部１１で受け付けたタイミングで画像情報、日時情報、場所情報を含む送信情報を送信してもよい。
【００６０】
また、本実施の形態では、撮影部１２が撮影を行い、送信情報送信部１６が送信情報を送信する場合について説明したが、撮影部１２による撮影が行われることなく、送信情報送信部１６が送信情報を送信してもよい。例えば、送信情報送信部１６は、ユーザからの送信指示の入力等を入力受付部１１で受け付けたタイミングで、画像情報を含まない送信情報を送信してもよい。例えば、コンサート会場においてコンサートの開催されている時間帯に送信情報が送信された場合に、その送信情報の送信に対応して、そのコンサートに出席している歌手に関する着信メロディーを含む返信情報が送信されるようにしてもよい。送信情報に含まれる場所情報は、送信情報送信部１６が送信情報を送信する時点の場所情報であってもよい。ここで、「送信情報送信部１６が送信情報を送信する時点」は、送信情報が送信される直前の時点であってもよい。送信情報に日時情報が含まれる場合には、その日時情報は、送信情報送信部１６が送信情報を送信する時点の日時情報であってもよい。また、この場合にも、送信情報に日時情報が含まれなくてもよい。例えば、ある会場や、山頂などから場所情報を含む送信情報が送信されることによって、その会場への出席の証明書や、登頂証明書を所定のサーバ装置からダウンロードするためのＵＲＬを含む返信情報が送信されるようにしてもよい。端末装置１で画像の撮影を行わない場合には、端末装置１は、撮影部１２を備えなくてもよい。また、送信情報に日時情報が含まれない場合には、端末装置１は、日時情報取得部１４を備えなくてもよい。
【００６１】
また、本実施の形態において、送信情報に含まれる画像情報は、撮影部１２が撮影したそのままの画像情報であってもよく、あるいは、撮影部１２が撮影した画像に対して何らかの処理のなされた画像情報であってもよい。撮影部１２が撮影した画像に対してなされる処理としては、例えば、ノイズの除去や、画像の圧縮処理、画像のフォーマット（形式）の変換処理、画像が斜めから撮影されて歪んでいる場合に、その歪みを除去する処理などである。これらの処理は公知であって、その説明を省略する。なお、これらの処理は、送信情報を受信したサーバ装置２において実行されてもよい。
【００６２】
また、本実施の形態では、アドレス情報記憶部１５にあらかじめアドレス情報が保持されている場合について説明したが、端末装置は、アドレス情報を取得するアドレス情報取得部等を備えてもよい。図９で示されるように、端末装置４は、アドレス情報を取得するアドレス情報取得部４１と、アドレス情報取得部４１が取得したアドレス情報をアドレス情報記憶部１５に蓄積するアドレス情報蓄積部４２とを備える。それ以外の構成は、端末装置１と同様であり、その説明を省略する。アドレス情報取得部４１は、例えば、撮影部１２が撮影した画像に含まれる電子透かしや２次元バーコードなどからアドレス情報を取得してもよく、送信されたアドレス情報を受信してもよく、その他の方法によってアドレス情報を取得してもよい。
【００６３】
また、本実施の形態において、例えば、端末装置１で撮影する広告は、所定の間隔（例えば、２０秒ごとなど）で内容が変化するものであってもよい。広告の内容の変化は、例えば、電子的に行われてもよく、あるいは、物理的に行われてもよい。前者の場合としては、例えば、大画面に表示された広告が時間と共に変化するものがある。後者の場合としては、ロール状に広告が巻かれており、時間と共に、表示される広告が異なるようにロールが巻かれるものがある。このような場合であっても、条件情報の日時情報を適切に設定することによって、所望の広告の画像が撮影された場合に、その画像を撮影した端末装置１に着信メロディー等のデータを送信することができうる。
【００６４】
また、上記各実施の形態において、各処理または各機能は、単一の装置または単一のシステムによって集中処理されることによって実現されてもよく、あるいは、複数の装置または複数のシステムによって分散処理されることによって実現されてもよい。
【００６５】
また、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。なお、上記実施の形態における端末装置を実現するソフトウェアは、以下のようなプログラムである。つまり、このプログラムは、コンピュータに、サーバ装置に情報を送信する端末装置における処理を実行させるためのプログラムであって、入力を受け付ける入力受付ステップと、前記端末装置の存在する場所に関する情報である場所情報を取得する場所情報取得ステップと、前記入力受付ステップで受け付けた入力に応じて、前記場所情報取得ステップで取得した場所情報を少なくとも含む情報である送信情報を、前記サーバ装置のアドレスに関する情報であるアドレス情報に基づいて送信する送信ステップと、を実行させるためのものである。
【００６６】
また、上記実施の形態におけるサーバ装置を実現するソフトウェアは、以下のようなプログラムである。つまり、このプログラムは、コンピュータに、端末装置から送信された情報を受信するサーバ装置における処理を実行させるためのプログラムであって、前記端末装置から送信された、前記端末装置の存在する場所に関する情報である場所情報を少なくとも含む情報である送信情報を受信する送信情報受信ステップと、前記送信情報受信ステップで受信した送信情報が所定の条件を充たすかどうか判断する判断ステップと、前記判断ステップで、前記送信情報受信ステップで受信した送信情報が所定の条件を充たすと判断された場合に、前記送信情報に関する所定の処理を行う処理ステップと、を実行させるためのものである。
【００６７】
なお、上記プログラムにおいて、情報を送信する送信ステップや、情報を受信する受信ステップなどでは、ハードウェアでしか行われない処理、例えば、送信ステップにおけるモデムやインターフェースカードなどで行われる処理は少なくとも含まれない。
【００６８】
また、このプログラムは、サーバなどからダウンロードされることによって実行されてもよく、所定の記録媒体（例えば、ＣＤ−ＲＯＭなどの光ディスクや磁気ディスク、半導体メモリなど）に記録されたプログラムが読み出されることによって実行されてもよい。
【００６９】
また、このプログラムを実行するコンピュータは、単数であってもよく、複数であってもよい。すなわち、集中処理を行ってもよく、あるいは分散処理を行ってもよい。
また、本発明は、以上の実施の形態に限定されることなく、種々の変更が可能であり、それらも本発明の範囲内に包含されるものであることは言うまでもない。
【産業上の利用可能性】
【００７０】
以上より、本発明による情報処理システム等では、端末装置から送信情報をサーバ装置に送信することにより、サーバ装置において種々のサービス等を提供することができ、情報の送受信を行う情報処理システム等において有用である。
【図面の簡単な説明】
【００７１】
【図１】本発明の実施の形態１による情報処理システムを示す図
【図２】同実施の形態による端末装置の動作を示すフローチャート
【図３】同実施の形態によるサーバ装置の動作を示すフローチャート
【図４】同実施の形態による情報処理システムを示す模式図
【図５】同実施の形態における送信情報の構成の一例を示す図
【図６】同実施の形態における条件情報の一例を示す図
【図７】同実施の形態におけるコンテンツ情報の一例を示す図
【図８】同実施の形態における返信情報の構成の一例を示す図
【図９】同実施の形態による情報処理システムを示す図
【符号の説明】
【００７２】
１、４  端末装置
２  サーバ装置
３  広告
１１  入力受付部
１２  撮影部
１３  場所情報取得部
１４  日時情報取得部
１５  アドレス情報記憶部
１６  送信情報送信部
１７  返信情報受信部
１８  返信情報蓄積部
２１  送信情報受信部
２２  判断部
２３  処理部
４１  アドレス情報取得部
４２  アドレス情報蓄積部
【図１】
2007011638.tif 000003
【図２】
2007011638.tif 000004
【図３】
2007011638.tif 000005
【図４】
2007011638.tif 000006
【図５】
2007011638.tif 000007
【図６】
2007011638.tif 000008
【図７】
2007011638.tif 000009
【図８】
2007011638.tif 000010
【図９】
2007011638.tif 000011